(57)【要約】【課題】外観はモニュメント風、シート体は花弁のように手動で開閉し、商店街、街路等に複数、並設すれば活気あるアーケードを形成し、街の賑わいと癒し効果となり、構造と形状を簡素化し、構成部材は大量生産が可能な日除け装置Ｍを提供する。【解決手段】基盤１に立設された主柱２、支柱３、４、５、６と各支柱３、４、５、６の頂部に取り付けられた摺動管３ａ、４ａ、５ａ、６ａと、該摺動管３ａ、４ａ、５ａ、６ａに挿通された支承骨７、８、９、１０と、該支承骨７、８、９、１０の先端部に掛止されたシート体１１、主柱２内を昇降する排水管１２、シート体１１の展開と収納を行う可動部材１３、可動部材１３の下降を停止するストッパー１４と、可動部材１３とシート体１１を操作する操作桿１５とで構成される。【選択図】  図１
2008075322.tif 000002
【特許請求の範囲】
【請求項１】
基盤の中心部に垂直状に立設された主柱と、
前記主柱の廻りを囲繞し、垂直状に立設された複数本の支柱と、
前記各支柱の頂部に取り付けられた摺動管を介してスライド可能に保持された支承骨と、
前記支承骨の先端部に掛止され、中央部には漏斗状集水口を設けたシート体と、
前記主柱に装着され、前記シート体の展開と収納に伴って、主柱内を昇降する排水管と、
前記シート体の展開と収納を行う可動部材と、
前記主柱及び各支柱を固定すると共に可動部材の下降を停止するストッパーと、
可動部材を操作する操作桿と、
を具備したことを特徴とする、モニュメント風可動日除け装置
【請求項２】
前記可動部材は、前記各支承骨の基端部を回動可能に集束する筒状集束体と、当該筒状集束体から各支柱に水平かつ放射状に架設された摺動パイプとからなることを特徴とする、請求項１に記載のモニュメント風可動日除け装置。
【請求項３】
前記支承骨の先端には、シート体の掛止具を掛止するための係止部が設けられていることを特徴とする、請求項１〜２の何れかに記載のモニュメント風可動日除け装置。
【請求項４】
前記基盤の中心部には、主柱の下方部を嵌合する筒体が垂直状に立設されたことを特徴とする、請求項１〜３の何れかに記載のモニュメント風可動日除け装置。
【請求項５】
前記主柱の下端近傍には、排水孔が穿設されていることを特徴とする、請求項１〜４の何れかに記載のモニュメント風可動日除け装置。
【請求項６】
前記筒体には、主柱の排水孔に連結する排水ホースが取り付けられたことを特徴とする、請求項１〜５の何れかに記載のモニュメント風可動日除け装置。
【請求項７】
前記基盤、主柱、支柱、摺動管、支承骨、排水管、集束体、摺動パイプ、ストッパー、操作桿及び筒体の素材が、アルミニウム、ステンレススチール、鉄又は硬質合成樹脂材のうちの何れかであることを特徴とする、請求項１〜６の何れかに記載のモニュメント風可動日除け装置。
【請求項８】
前記シート体は、ナイロン又はポリエステル繊維を基布とし、上面は防水加工、防炎及び耐熱加工されていることを特徴とする、請求項１〜７の何れかに記載のモニュメント風可動日除け装置。
【請求項９】
前記シート体の下面は、少なくとも１〜２種以上の着色が施されていることを特徴とする、請求項１〜８の何れかに記載のモニュメント風可動日除け装置。
【請求項１０】
前記各支柱の上部には、前記シート体を照明するカバー付きアッパーライトが取り付けられたことを特徴とする、請求項１〜９の何れかに記載のモニュメント風可動日除け装置。
【発明の詳細な説明】
【技術分野】
【０００１】
本発明は、モニュメント風可動日除け装置に係り、より詳しくは、主柱及び複数本の支柱等と支承骨の頂部に取り付けられた１枚のシート体が、街路、公園又は広場等に設置される一種のモニュメント風に見え、シート体は花弁のように手動で開閉して、日除け・雨除け機能を有する、モニュメント風可動日除け装置に関する。
【背景技術】
【０００２】
モニュメントは本来、何らかの記念、メッセージ等を伝えると共に、芸術性を有する造形物であり、これを鑑賞する者に精神的な和み、安らぎ等を感じさせると共に、モニュメントが設置されている環境、例えば商店街、街路、公園、広場等においては、楽しさ、明るさ、活気ある雰囲気等を醸し出す効果もあり、結果的には多数の顧客、来訪者等を参集させる広告媒体としての機能をも発揮する。近年のストレス社会、特に人口密集地域においては、モニュメントが有する癒し効果と共に、商店街、街路等の活性効果を期待する声は高まり、モニュメント設置の希望は増加する傾向にある。
【０００３】
しかしモニュメントは、芸術作品の一種であり、その多くは芸術家によってデザインされ、造形された一品だけの制作作品である。したがって、その作品完成には卓越した感性、熟練した技術と共に長い制作時間を要するために、量産化には不向きといわれている。
【０００４】
モニュメント風日除け装置等は、未だ提案されていない現況にあり、屋外のイベント会場や展示場等に設置されて、日除け又は雨除けとして用いられる大型の折り畳みパラソルとして、特開２０００−１０６９２７「パラソル」が提案、開示されている。特開２０００−１０６９２７は、雨滴が外周部に落ちず、雨水は中央部に集約するパラソルの提供を課題とし、その解決手段として、基礎に立設される円筒状の支柱と、この支柱に嵌合されて上下方向に摺動する円環状のスライド体と、このスライド体の円周面に４５°間隔毎に枢着自在に取り付けられた８本の骨組と、この８本の骨組間に編み込まれたシートと、支柱の頂端部と８本の骨組の中間部とにそれぞれピン枢支された支え骨と、一端をスライド体に固定すると共にその中途側を支柱の頂端部に設けられた滑車に掛け、かつ他端側を支柱に併設されたウインチの図示しないドラムに巻き付け・巻き戻し自在にしたワイヤロープとを備えている。そしてワイヤロープをウインチのドラムにて巻き付け・巻き戻すことにより、支柱に沿ってスライド体が上下動し、８本の骨組が支柱を中心に開閉する。このパラソルの開時に、シートは従来の傘とは逆の上方に広がって、日よけ、雨よけになる、構成としている。しかしながら、特開２０００−１０６９２７においては、ウインチが支柱の根元に外付けになっているために、パラソルを開いた後は、ウインチが通行人等に障害物になると共に、デザイン的にも美麗さに欠け、モニュメントとしての印象度も低い。
【０００５】
上記、特開２０００−１０６９２７の改善案として、特開２００３−２１０２２５「パラソル」が開示されている。特開２００３−２１０２２５は複数の骨組間に張り付けられたシートを支柱の片側だけに開くようにして設置範囲を可及的に拡大できるデザイン的に優れたパラソルの提供を課題とし、その解決手段として、基礎に立設される支柱と、支柱に嵌合されて上下方向に摺動するスライド体と、スライド体に枢着自在に取り付けられた複数の骨組と、各骨組間に張り付けられたシートと、支柱の頂部と各骨組間部とにそれぞれピン枢支された支え骨と、一端をスライド体に固定すると共にその中途側を支柱の頂部に設けられた滑車に掛け、他端側をウインチのドラムに巻き付け・巻き戻し自在にしたワイヤロープとを備えたパラソルにおいて、スライド体を挟んで一直線になるように該スライド体に一対の骨組を枢着すると共に、該一対の骨組間のスライド体片側のみに一対の骨組を枢着した、ことを特徴としている。しかしながら、特開２００３−２１０２２５は、スライド体の片側のみに枢着された複数の骨組間に張り付けられたシートを支柱の片側だけに上方に広がるようにして開くことにより、パラソルの設置範囲を可及的に拡げる効果はあるとしても、支柱はシートの片側寄りに立設され、極めてアンバランスなデザインになっているため、これを見る多数人には、精神的な癒しを与えることは困難と言わざるを得ない。
【特許文献１】特開２０００−１０６９２７号公報
【特許文献２】特開２００３−２１０２２５号公報
【発明の開示】
【発明が解決しようとする課題】
【０００６】
本発明が解決しようとする第１の課題は、外観形状は一種のモニュメントに見え、シート体は花弁のように開閉して、日除け・雨除けとなる、モニュメント風可動日除け装置を提供することにあり、第２の課題は、商店街、街路等にモニュメント風可動日除け装置を複数、並設することにより、楽しさ、明るさ、活気あるアーケードを形成すると共に、夜間にあっては、カバー付きアッパーライトを光のオブジェとして、街の賑わいと癒し効果を提供することにあり、第３の課題は、構造と形状を簡素化して、当該構成部材は大量生産が可能なモニュメント風可動日除け装置を提供することにある。
【課題を解決するための手段】
【０００７】
本発明者は、上記の従来技術が有する、各種の問題点に鑑み、鋭意検討を重ね、特に特許文献１〜２にあるような雨除け、日除けを主目的とし、その目的が達成したら撤収される変則パラソルではなく、また雨除け、日除けを目的とする通常のパラソル、テント業界等の分野では想到されていなかったことに着目して、第１〜第３の課題を解決するための本発明を完成させたもので、その最大の特徴は、主柱及び複数本の支柱等と支承骨の頂部に取り付けられた１枚のシート体が、公園又は広場等に常設された一種のモニュメント風に見え、シート体は、例えば朝顔の花弁のように手動で開閉することにあり、課題を解決するための手段は、本願、特許請求の範囲の各請求項に記載の発明であり、その具体的な解決手段は、以下の通りである。
【０００８】
課題を解決するための第１の発明は、請求項１に記載の発明であり、基盤の中心部に垂直状に立設された主柱と、前記主柱の廻りを囲繞し、垂直状に立設された複数本の支柱と、前記各支柱の頂部に取り付けられた摺動管を介してスライド可能に保持された支承骨と、前記支承骨の先端部に掛止され、中央部には漏斗状集水口を設けたシート体と、前記主柱に装着され、前記シート体の展開と収納に伴って、主柱内を昇降する排水管と、前記シート体の展開と収納を行う可動部材と、前記主柱及び各支柱を固定すると共に可動部材の下降を停止するストッパーと、前記可動部材を操作する操作桿と、を具備したことを特徴としている。
【０００９】
課題を解決するための第２の発明は、請求項２に記載の発明であり、前記可動部材は、前記各支承骨の基端部を回動可能に集束する筒状集束体と、当該筒状集束体から各支柱に水平かつ放射状に架設された摺動パイプとからなることを特徴としている。
【００１０】
課題を解決するための第３の発明は、請求項３に記載の発明であり、前記支承骨の先端には、シート体の掛止具を掛止するための係止部が設けられていることを特徴としている。
【００１１】
課題を解決するための第４の発明は、請求項４に記載の発明であり、前記基盤の中心部には、主柱の下方部を嵌合する筒体が垂直状に立設されたことを特徴としている。
【００１２】
課題を解決するための第５の発明は、請求項５に記載の発明であり、前記主柱の下端近傍には、排水孔が穿設されていることを特徴としている。
【００１３】
課題を解決するための第６の発明は、請求項６に記載の発明であり、前記筒体には、主柱の排水孔に連結する排水ホースが取り付けられたことを特徴としている。
【００１４】
課題を解決するための第７の発明は、請求項７に記載の発明であり、前記基盤、主柱、支柱、摺動管、支承骨、排水管、集束体、摺動パイプ、ストッパー、操作桿及び筒体の素材が、アルミニウム、ステンレススチール、鉄又は硬質合成樹脂材であることを特徴としている。
【００１５】
課題を解決するための第８の発明は、請求項８に記載の発明であり、前記シート体は、ナイロン又はポリエステル繊維を基布とし、上面は防水加工、防炎及び耐熱加工されていることを特徴としている。
【００１６】
課題を解決するための第９の発明は、請求項９に記載の発明であり、前記シート体の下面は、少なくとも１〜２種以上の着色が施されていることを特徴としている。
【００１７】
課題を解決するための第１０の発明は、請求項１０に記載の発明であり、前記各支柱の上部には、前記シート体を照明するカバー付きアッパーライトが取り付けられたことを特徴としている。
【発明の効果】
【００１８】
本発明に係る、モニュメント風可動日除け装置は、上記の特徴的構成により、以下の効果を奏する。第１及び第２の発明によれば、モニュメント風可動日除け装置を構成する部材の、主柱、複数本の支柱、排水管、可動部材及びストッパー等は、巨大な活け花用の花器を連想させ、支承骨は花弁の裏面の葉脈に見え、また該支承骨の先端部に掛止されたシート体は、花器に活けられた活け花を感じさせ、可動部材による昇降操作により、あたかも朝顔の花が開閉するように、シート体は展開・収納を随時に行うことができ、シート体の展開時は、日除け、雨除けとなり、強風等の悪天候時のシート体は、朝顔の花が閉じるように、可動部材の降下操作により、シート体は収納される。また例えば、商店街、街路等にモニュメント風可動日除け装置を複数、並設すれば、商店街、街路等は、楽しさ、明るさ、さらに活気あるアーケードを形成し、顧客の増加と近隣地域の活性化につながる。これにより、第１及び第２の課題は解決された。
【００１９】
第３の発明によれば、支承骨の先端部には、シート体を掛止するための係止部が設けられ、シート体の掛止具、例えばループ等を係止部に掛止しているので、操作桿を操作してシート体の着脱は容易に行うことができる。
【００２０】
第４の発明によれば、基盤の中心部には、主柱の下方部を嵌合する筒体が垂直状に立設されているので、主柱は安定して固定されると共に、排水管の昇降、シート体の開閉は円滑に操作される。
【００２１】
第５及び第６の発明によれば、主柱の下端近傍には、排水孔が穿設され、筒体には、主柱の排水孔に連結する排水ホースが取り付けられているので、シート体に降った雨水は、集水口から排水管、排水孔を経て排水ホースから基盤外に排出される。
【００２２】
第７の発明によれば、基盤、主柱、支柱、摺動管、支承骨、排水管、筒状集束体、摺動パイプ、ストッパー、操作桿及び筒体の素材は、アルミニウム、ステンレススチール、鉄又は硬質合成樹脂材であるから、各種公知技術により大量生産が可能となり、これにより、第３の課題が解決された。
【００２３】
第８の発明によれば、シート体は、ナイロン又はポリエステル繊維を基布とし、上面は防水加工、防炎及び耐熱加工されているので、雨水は漏斗状集水口に集水され、たばこ等の可燃物がシート体上に投棄されても、燃焼することがなく、また耐熱加工されているから、日除けとして好適に機能する。
【００２４】
第９及び第１０の発明によれば、シート体の下面は、少なくとも１〜２種以上の着色が施され、各支柱の上部には、前記シート体を照明するカバー付きアッパーライトが取り付けられているので、昼間はもちろん、夜間はアッパーライトにより、着色されたシート体は、光のオブジェとしてライトアップされ、街の賑わいと癒し効果を高めることができる。
＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
モニュメント風可動日除け装置とは、主柱及び複数本の支柱等と支承骨の頂部に取り付けられた１枚のシート体が、街路、公園又は広場等に設置される一種のモニュメント風に見え、シート体は花弁のように手動で開閉して、日除け・雨除け機能を有する装置をいう。
モニュメント風可動日除け装置は、基盤の中心部に垂直状に立設された主柱と、
前記主柱の廻りを囲繞し、垂直状に立設された複数本の支柱と、
前記各支柱の頂部に取り付けられた摺動管を介してスライド可能に保持された支承骨と、
前記支承骨の先端部に掛止され、中央部には漏斗状集水口を設けたシート体と、
前記主柱に装着され、前記シート体の展開と収納に伴って、主柱内を昇降する排水管と、
前記シート体の展開と収納を行う可動部材と、
前記可動部材の下降を停止するストッパーと、
前記主柱及び各支柱を固定すると共に可動部材を操作する操作桿とから構成される。
【発明を実施するための最良の形態】
【００２５】
以下、本発明に係る、モニュメント風可動日除け装置に関する最良の実施形態について、図面を参照しながら説明する。図１は、モニュメント風可動日除け装置（以下、日除け装置Ｍという）を街路に設置した状態を示す斜視図、図２は、図１における２−２線線矢視図、図３は、図２における３−３線矢視図、図４は、Ａ部の拡大断面図、図５は、図４における５−５線矢視図、図６は、図３における６−６線矢視図、図７は、シート体を収納した状態の一部切欠断面図、図８（ａ）、（ｂ）は、操作桿の一部省略正面図である。
【００２６】
日除け装置Ｍは、図１及び図２に示すように、基盤１の中心部に垂直状に立設された主柱２、当該主柱２の廻りを囲繞するように立設された複数本の支柱３、４、５及び６と各支柱３、４、５及び６の頂部に取り付けられた摺動管３ａ、４ａ、５ａ及び６ａと、当該摺動管３ａ、４ａ、５ａ及び６ａにスライド可能に挿通された支承骨７、８、９及び１０と、当該支承骨７、８、９及び１０のそれぞれ先端部に掛止されたシート体１１、主柱２内を昇降自在に装着された排水管１２、シート体１１の展開と収納を行う可動部材１３、主柱２及び各支柱３、４、５及び６を固定すると共に、可動部材１３の下降を停止するストッパー１４と、可動部材１３とシート体１１を操作する操作桿１５（図８（ａ）、（ｂ）参照）を、主な構成部材としている。
【００２７】
可動部材１３は、図１〜図４等に示すように、各支承骨７、８、９及び１０の基端部７ａ、８ａ、９ａ及び１０ａを回動可能に集束する筒状集束体１３ａと、当該筒状集束体１３ａの下部から各支柱３、４、５及び６に水平かつ放射状に架設された摺動パイプ１３ｂからなり、筒状集束体１３ａの上部外周面には支承骨７、８、９及び１０の基端部７ａ、８ａ、９ａ及び１０ａを取り付けるための取付板１３ｃが設けられ、ピン１３ｄによりそれぞれ枢支されている。
【００２８】
また支承骨の７、８、９及び１０の先端部には、図１〜図４等に示すように、シート体１１の掛止具であるループ１１ａを掛止するための係止部７ｂ、８ｂ、９ｂ及び１０ｂが設けられ、シート体１１の各隅端部には紐状のループ１１ａが取り付けられ、該ループ１１ａはそれぞれ支承骨の７、８、９及び１０の係止部７ｂ、８ｂ、９ｂ及び１０ｂに掛止されている。
【００２９】
基盤１の中央部には、主柱２の外径が嵌合可能な内径とした筒体１ａが垂直状に立設され、当該主柱２の下端近傍部は、該筒体１ａ内に嵌合されている（図３、参照）。主柱２の下端近傍には排水孔２ａが穿設され、その排水孔２ａは基盤１の筒体１ａに取り付けられた排水ホース１ｂに連結されている。
【００３０】
日除け装置Ｍを構成する基盤１、主柱２、支柱３、４、５及び６、摺動管３ａ、４ａ、５ａ及び６ａ、支承骨７、８、９及び１０、排水管１２、筒状集束体１３ａ、摺動パイプ１３ｂ、ストッパー１４、操作桿１５及び筒体１ａ等は、その素材である、アルミニウム、ステンレススチール、鉄又は硬質合成樹脂材等を、各種公知技術、例えば鋳造、押型成型、機械加工等により製造される。
【００３１】
図３はシート体１１を展開した状態を示し、該シート体１１は、ナイロン又はポリエステル繊維を基布とし、上面１１ｂは防水加工、例えば、ウレタン樹脂又はアクリル樹脂等を塗布するコーティング加工が施され、またアンチモン化合物やリン酸系化合物を付着させる防炎加工、ポリエステルフィルム等の耐熱プロテクトフィルムを貼着する耐熱加工等が施されている。さらに、シート体１１の下面１１ｃは、１〜２種以上の着色によりカラフルな色彩、絵柄模様等が現出されている。１１ｄは漏斗状集水口で、シート体１１の下面１１ｃ中央部に溶着され、排水管１２に着脱可能とされている。１６、１７、１８及び１９は、シート体１１を下方から照明するアッパーライトで、１６ａ、１７ａ、１８ａ及び１９ａは、カバーである。図３におけるＨ１は、日除け装置Ｍにおけるの地面Ｆから可動部材１３を最上部に伸展した状態の高さ寸法で、約２ｍ３０ｃｍ〜２ｍ７０ｃｍとされ、Ｈ２は、同可動部材１３を最上部に伸展した状態における、可動部材１３から支承骨７、８、９及び１０先端の係止部７ｂ、８ｂ、９ｂ、１０ｂまでの高さ寸法で、約８５ｃｍ〜９５ｃｍとされている。
【００３２】
図５は、可動部材１３の筒状集束体１３ａと支柱３、４、５、６の架設状態を示し、摺動パイプ１３ｂは、筒状集束体１３ａから水平かつ放射状に架設された枝管１３ｅを介して、各支柱３、４、５に及び６に水平かつ放射状に架設されている。１ｃはアンカーボルトである。
【００３３】
図６は、ストッパー１４と主柱２及び支柱３、４、５、６との架設状態を示し、図示するように、ストッパー１４は主柱２の頂部に固定されると共に、主柱２の外周面から水平かつ放射状に延設されて支柱３、４、５、６の外周面に固着されている。ストッパー１４は、可動部材１３の降下を停止すると共に、主柱２及び支柱３、４、５、６を補強的に固定するものである。
【００３４】
図７は、シート体の不要時、例えば強風等が吹き荒れる悪天候時や、店舗等の営業終了時は、可動部材１３を操作桿１５により、最下点であるストッパー１４の固定位置まで降下させて、シート体を折り畳み、収納した状態を示し、アッパーライト１６、１７、１８及び１９は消灯されている。図８（ａ）は、操作桿１５を示し、頂部はＴ字状をなし、その下部１５ａ左右の何れかで、可動部材１３の枝管１３ｅの何れかに係止して降下させる。また上部１５ｂは、可動部材１３を上昇させるとき、また下部１５ａ又は上部１５ｂをシート体１１のループ１１ａを支承骨７、８、９、１０の各係止部７ｂ、８ｂ、９ｂ、１０ｂから離脱するときに使用される。図８（ｂ）は、他の操作桿１５０を示し、頂部はフック状をなし、その下部１５０ａで、可動部材１３の枝管１３ｅの何れかに係止して降下させる。また上部１５０ｂは可動部材１３を上昇させるとき、また下部１５０ａ又は上部１５０ｂをシート体１１のループ１１ａを支承骨７、８、９、１０の各係止部７ｂ、８ｂ、９ｂ、１０ｂから離脱するときに使用される。なお１５ｃ及び１５０ｃは把持部であり、操作桿１５及び１５０全体の長さ寸法ｈは、約１ｍ〜１ｍ３０ｃｍとし、少なくともシート体１１を収納し、ループ１１ａを支承骨７、８、９、１０の各係止部７ｂ、８ｂ、９ｂ、１０ｂから離脱可能な寸法に設定されている。
【００３５】
次に、日除け装置Ｍの使用態様等について説明する。例えば図７に示すように、シート体１１が収納された状態から、図１及び図３に示す、シート体１１を展開状態にするのには、まず、操作桿１５の上部１５ｂを支承骨７、８、９、１０の基端部７ａ、８ａ、９ａ、１０ａの何れかに当接し、操作桿１５を上方に押し上げると、摺動パイプ１３ｂはストッパー１４から離脱するので、直ちに操作桿１５の上部１５ｂを枝管１３ｄの下面に移動させ、徐々にこれを押し上げると、可動部材１３は、各支柱３、４、５、６をスライドし、同時に各支承骨７、８、９、１０は、摺動管３ａ、４ａ、５ａ、６ａを介して斜め上方にスライドしていき、可動部材１３が最上点に達すると、シート体１１は図１及び図３に示すように展開する。
【００３６】
またシート体１１を折り畳んで収納するのには、以下の手順で操作する。まず、操作桿１５の下部１５ａを可動部材１３の枝管１３ｅの上部に係止し、これを図３の矢線Ｃ１に示すように下方に降下させれば、摺動パイプ１３ｂは各支柱３、４、５、６をスライドし、同時に各支承骨７、８、９、１０は、摺動管３ａ、４ａ、５ａ、６ａを介して斜め下方にスライドしていくと同時に、矢線Ｃ２に示すように折り畳まれ、可動部材１３がストッパー１４に達すると、シート体１１は図７に示すように収納される。
【図面の簡単な説明】
【００３７】
【図１】は、本発明に係る、日除け装置Ｍを街路に設置した状態を示す斜視図である。
【図２】は、図１における２−２線線矢視図である。
【図３】は、図２における３−３線線矢視図である。
【図４】は、Ａ部の拡大断面図である。
【図５】は、図４における５−５線拡大矢視図である。
【図６】は、図３における６−６線拡大矢視図である。
【図７】は、シート体を収納した状態の一部切欠断面図である。
【図８】（ａ）、（ｂ）は、操作桿の一部省略正面図である。
【符号の説明】
【００３８】
Ｍ                        日除け装置
１                        基盤
２                        主柱
３、４、５、６            支柱
３ａ、４ａ、５ａ、６ａ    摺動管
７、８、９、１０          支承骨
７ａ、８ａ、９ａ、１０ａ  支承骨の基端部
７ｂ、８ｂ、９ｂ、１０ｂ  係止部
１１                      シート体
１１ｄ                    漏斗状集水口
１２                      排水管
１３                      可動部材
１３ａ                    筒状集束体
１３ｂ                    摺動パイプ
１３ｃ                    取付板
１３ｄ                    ピン
１３ｅ                    枝管
１４                      ストッパー
１５                      操作桿
１６、１７、１８、１９    アッパーライト
【図１】
2008075322.tif 000003
【図２】
2008075322.tif 000004
【図３】
2008075322.tif 000005
【図４】
2008075322.tif 000006
【図５】
2008075322.tif 000007
【図６】
2008075322.tif 000008
【図７】
2008075322.tif 000009
【図８】
2008075322.tif 000010